(57)【要約】 【課題】  二次電池モジュールを構成する二次電池間、および二次電池モジュール間の電圧バランス調整を従来よりも効果的、かつ、短時間に行うことが可能な二次電池パックを提供すること。【解決手段】  二次電池モジュール１２を構成する二次電池１１の電圧をモニタし二次電池１１の電圧を調整する電池電圧バランス調整部１３を備えたモジュール制御部１５と、温度検出部１７と、電流検出部１６と、充電スイッチ１９および放電スイッチ１８と、二次電池モジュール１２のそれぞれへの充電経路を切換える切換スイッチ２１と、充電制御部２２と、モジュール制御部１５からの電圧情報と温度情報と電流情報とを元に二次電池モジュール１２のそれぞれの充電の要否および充電電圧と充電電流を決定し、モジュール制御部１５、充電制御部２２、切換スイッチ２１、充電スイッチ１９及び放電スイッチ１８を制御する電池制御部２０とを有している。【選択図】  図１
2010166721.tif 000002
【特許請求の範囲】
【請求項１】
複数の二次電池を直列に接続して構成される二次電池モジュールを複数個直列または並列に接続して構成される二次電池パックにおいて、前記二次電池モジュールのそれぞれに対応して配置され該二次電池モジュールを構成する二次電池の電圧をモニタし該二次電池の電圧を調整する電池電圧バランス調整部を備えたモジュール制御部と、前記二次電池モジュールの温度をモニタする温度検出部と、当該二次電池パック全体の充電電流および放電電流をモニタする電流検出部と、当該二次電池パック全体の充電経路および放電経路をそれぞれ開閉する充電スイッチおよび放電スイッチと、前記二次電池モジュールのそれぞれへの充電経路を切換える切換スイッチと、前記二次電池モジュールへの充電電圧および充電電流を制御する充電制御部と、前記モジュール制御部からの前記二次電池モジュールの電圧及び該二次電池モジュールを構成する二次電池の電圧情報と前記温度検出部からの温度情報と前記電流検出部からの電流情報とを元に前記二次電池モジュールのそれぞれの充電の要否および充電電圧と充電電流を決定し、前記モジュール制御部、前記充電制御部、前記切換えスイッチ、前記充電スイッチ及び前記放電スイッチを制御する電池制御部とを有し、個々の二次電池モジュール単位又は連続した複数の二次電池モジュール単位で定電圧定電流充電を行うことにより前記二次電池モジュール間の電圧バランス調整を行うことを特徴とする二次電池パック。
【請求項２】
前記個々の二次電池モジュール単位又は連続した複数の二次電池モジュール単位での充電を行う調整充電期間と前記二次電池または前記二次電池モジュールの電圧をモニタする電圧モニタ期間を規定し、前記電池制御部が電圧バランス調整が不要と判断するかまたは当該二次電池パックへの充電が停止されるまで前記調整充電期間と前記モニタ期間を繰返すことにより、前記二次電池モジュール間の電圧バランス調整を行なうこと特徴とする請求項１に記載の二次電池パック。
【請求項３】
前記調整充電期間と前記電圧モニタ期間を前記温度検出部からの温度情報により調整することを特徴とする請求項２に記載の二次電池パック。
【請求項４】
前記電池制御部は充放電容量の積算機能を有し、前記二次電池の電圧、前記充電電流、前記積算された充放電容量のそれぞれの規定値を設定し、前記電池制御部はこれらの規定値のいずれか又は複数の規定値に達するまで前記二次電池モジュール間の電圧バランス調整を行うことを特徴とする請求項１〜３のいずれか１項に記載の二次電池パック。
【請求項５】
前記電池制御部は、前記二次電池モジュール間の電圧バランス調整を完了後に、二次電池モジュールを構成する二次電池の電圧のモニタ結果を元にモジュール制御部を介し該二次電池間の電圧バランス調整を行うことを特徴とする請求項１〜４のいずれか１項に記載の二次電池パック。
【請求項６】
前記電池制御部は、前記二次電池モジュール間の最小電圧と最大電圧との差が規定の電圧値を超えた場合、前記二次電池モジュール間の電圧バランス調整を開始し、前記規定の電圧値を下回った場合、前記二次電池モジュール間の電圧バランス調整を停止するように制御し、かつ、前記二次電池間の最小電圧と最大電圧との差が規定の電圧値を超えた場合、前記二次電池間の電圧バランス調整を開始し、前記規定の電圧値を下回った場合、前記二次電池間の電圧バランス調整を停止するように制御することを特徴とする請求項１〜５のいずれか１項に記載の二次電池パック。
【請求項７】
前記電池制御部は、前記二次電池モジュール間の最小電圧と最大電圧との差が規定の電圧値を超えた場合、電圧の小さい二次電池モジュールから順番に二次電池モジュール単位又は連続した複数の二次電池モジュール単位での充電を行うように制御することを特徴とする請求項１〜６のいずれか１項に記載の二次電池パック。
【請求項８】
前記電池制御部は、前記二次電池間の最小電圧と最大電圧との差が規定の電圧値を超えた場合、電圧の大きい二次電池から順番に単体又は連続した複数の二次電池単位で電圧バランス調整を行うように制御をすることを特徴とする請求項１〜７のいずれか１項に記載の二次電池パック。
【請求項９】
前記二次電池モジュール間の最小電圧と最大電圧との差の規定の電圧値をモジュール間電圧規定値とし、前記二次電池間の最小電圧と最大電圧との差の規定の電圧値を二次電池間電圧規定値とするとき、モジュール間電圧規定値は二次電池間電圧規定値と等しいかまたはそれより大きいことを特徴とする請求項６〜８のいずれか１項に記載の二次電池パック。
【請求項１０】
充電手段への接続を制御する前記電池制御部の上位の制御部を有し、前記電池制御部は、前記上位の制御部への信号伝達手段を有し、前記二次電池モジュール間の最小電圧と最大電圧との差が規定の電圧値を超えた場合は放電を禁止して前記上位の制御部への充電要求を行い、前記二次電池モジュール間の最小電圧と最大電圧との差が前記規定の電圧値以下になった場合は放電を許可する制御を行うことを特徴とする請求項１〜９のいずれか１項に記載の二次電池パック。
【請求項１１】
前記電池制御部は、前記二次電池モジュール間の最小電圧と最大電圧との差が第一の規定の電圧値を超えた場合は放電を禁止し、前記二次モジュール間の最小電圧と最大電圧との差が前記第一の規定の電圧値以下になった場合は放電を許可する制御を行い、かつ、前記二次電池モジュール間の最小電圧と最大電圧との差が第二の規定の電圧値を超えた場合は前記二次電池モジュール間の電圧バランス調整を開始し、前記第二の規定の電圧値を下回った場合は前記二次電池モジュール間の電圧バランス調整を停止するように制御し、前記第一の規定の電圧値は前記第二の規定の電圧値と等しいかまたはそれより大きいことを特徴とする請求項１〜１０のいずれか１項に記載の二次電池パック。
【発明の詳細な説明】
【技術分野】
【０００１】
本発明は、複数の二次電池を直列に接続して構成される二次電池モジュールを複数個直列または並列に接続して構成される二次電池パックに関し、特に二次電池モジュール間の電圧バランス調整が可能な二次電池パックに関する。
【背景技術】
【０００２】
リチウムイオン電池等の二次電池は、近年、電動機器や蓄電等の分野における用途が拡大してきており、これに伴って高電圧対応のための多直化(多数個が直列に接続した状態)の要求が増えている。また、同時に長期信頼性、安全性や寿命についても高い要求がある。二次電池パックを二次電池を複数個直列接続して構成する際、信頼性、安全性、寿命の観点からは、理想的には二次電池パックを構成するそれぞれの二次電池が寿命に至るまで、充放電動作や保存において均一に電圧が推移し性能が劣化することが望まれるが、現実的には二次電池単体の性能や劣化のバラツキ等が作用し、電圧バランスが崩れる場合がある。この対策の一つとして、一般的には各二次電池の電圧をモニタし、充電途中に各二次電池間の電圧バランス調整を行う方法がとられている。特許文献１には各二次電池の電圧を検出して、充電途中あるいは充電完了後に電圧の高い二次電池のバランス放電を行い、電圧の低い二次電池に他の二次電池より高い充電電流を供給してバランス充電を行う充電方法が示されている。
【先行技術文献】
【特許文献】
【０００３】
【特許文献１】特許第３２２９６９６号公報
【発明の概要】
【発明が解決しようとする課題】
【０００４】
上記のような電圧バランス調整回路を二次電池を多直化して構成した二次電池モジュールをさらに多直化して構成した二次電池パックに適用する場合、回路の高集積化のためや電子部品の定格電圧等の都合により、パーソナルコンピュータ用電池パック向け等に開発された一般的なアナログＩＣやカスタム開発された専用ＩＣ等をベースとして二次電池モジュール単位で調整・制御回路が構成される場合が多い。しかし、この場合、二次電池モジュール内での構成電池間の電圧バランス調整がなされても、回路構成部品の消費電流のバラツキにより、二次電池モジュール間の電圧バランスが崩れるという問題があった。また、二次電池モジュール間の電圧バランス調整に時間がかかるため、二次電池モジュール入換えの際には電圧レベルを他の二次電池モジュールと合わせてから接続する必要があるという問題があった。
【０００５】
図３は一般的なアナログＩＣにより構成された従来の二次電池パックの構成例を示す回路ブロック図である。図３において、二次電池１が複数個直列に接続され、二次電池モジュール２が構成されている。モジュール制御部５はその二次電池モジュールの電圧と二次電池モジュール内の構成電池の電圧をモニタする機能を有し、電池電圧バランス調整部３及びモジュール電圧バランス調整部４を備えている。また、この二次電池パックは二次電池モジュール２の温度をモニタする温度検出部７と、二次電池パック全体の充電電流および放電電流をモニタする電流検出部６と、二次電池パック全体の充電経路および放電経路をそれぞれ開閉する充電スイッチ９および放電スイッチ８を備えており、電池制御部１０はモジュール制御部５と、電流検出部６と、温度検出部７からの電圧、電流、温度情報を元にモジュール制御部５と放電スイッチ８、充電スイッチ９を制御する。モジュール制御部５は、電池制御部１０からの制御により、規定された時期及び期間、電池電圧バランス調整部及びモジュール電圧バランス調整部を制御し、構成電池間の電圧バランス調整および二次電池モジュールの電圧調整と各電圧のモニタを行う。
【０００６】
このような電池パックにおいて、二次電池モジュール間の電圧バランス調整を一般的な抵抗放電によって行う場合、抵抗の許容電力により実際に放電できる電流量に限度があるので比較的低い電流値で時間をかけて調整せざるを得なくなり、メンテナンス等における二次電池モジュール入換えの際には、この調整時間を短縮するために、予め充電量、すなわち電圧レベルを他の二次電池モジュールと合わせてから接続する必要があった。
【０００７】
上記の問題を解決するため、本発明の課題は、複数の二次電池モジュールを直列または並列に接続して構成される二次電池パックにおいて、二次電池モジュールを構成する二次電池間、および二次電池モジュール間の電圧バランス調整を従来よりも効果的、かつ、短時間に行うことが可能な二次電池パックを提供することにある。
【課題を解決するための手段】
【０００８】
上記課題を解決するため、本発明の二次電池パックは、複数の二次電池を直列に接続して構成される二次電池モジュールを複数個直列または並列に接続して構成される二次電池パックにおいて、前記二次電池モジュールのそれぞれに対応して配置され該二次電池モジュールを構成する二次電池の電圧をモニタし該二次電池の電圧を調整する電池電圧バランス調整部を備えたモジュール制御部と、前記二次電池モジュールの温度をモニタする温度検出部と、当該二次電池パック全体の充電電流および放電電流をモニタする電流検出部と、当該二次電池パック全体の充電経路および放電経路をそれぞれ開閉する充電スイッチおよび放電スイッチと、前記二次電池モジュールのそれぞれへの充電経路を切換える切換スイッチと、前記二次電池モジュールへの充電電圧および充電電流を制御する充電制御部と、前記モジュール制御部からの前記二次電池モジュールの電圧及び該二次電池モジュールを構成する二次電池の電圧情報と前記温度検出部からの温度情報と前記電流検出部からの電流情報とを元に前記二次電池モジュールのそれぞれの充電の要否および充電電圧と充電電流を決定し、前記モジュール制御部、前記充電制御部、前記切換えスイッチ、前記充電スイッチ及び前記放電スイッチを制御する電池制御部とを有し、個々の二次電池モジュール単位又は連続した複数の二次電池モジュール単位で定電圧定電流充電を行うことにより前記二次電池モジュール間の電圧バランス調整を行うことを特徴とする。
【０００９】
また、前記個々の二次電池モジュール単位又は連続した複数の二次電池モジュール単位での充電を行う調整充電期間と前記二次電池または前記二次電池モジュールの電圧をモニタする電圧モニタ期間を規定し、前記電池制御部が電圧バランス調整が不要と判断するかまたは当該二次電池パックへの充電が停止されるまで前記調整充電期間と前記モニタ期間を繰返すことにより、前記二次電池モジュール間の電圧バランス調整を行なってもよい。
【００１０】
また、前記調整充電期間と前記電圧モニタ期間を前記温度検出部からの温度情報により調整してもよい。
【００１１】
また、前記電池制御部は充放電容量の積算機能を有し、前記二次電池の電圧、前記充電電流、前記積算された充放電容量のそれぞれの規定値を設定し、前記電池制御部はこれらの規定値のいずれか又は複数の規定値に達するまで前記二次電池モジュール間の電圧バランス調整を行ってもよい。
【００１２】
また、前記電池制御部は、前記二次電池モジュール間の電圧バランス調整を完了後に、二次電池モジュールを構成する二次電池の電圧のモニタ結果を元にモジュール制御部を介し該二次電池間の電圧バランス調整を行ってもよい。
【００１３】
また、前記電池制御部は、前記二次電池モジュール間の最小電圧と最大電圧との差が規定の電圧値を超えた場合、前記二次電池モジュール間の電圧バランス調整を開始し、前記規定の電圧値を下回った場合、前記二次電池モジュール間の電圧バランス調整を停止するように制御し、かつ、前記二次電池間の最小電圧と最大電圧との差が規定の電圧値を超えた場合、前記二次電池間の電圧バランス調整を開始し、前記規定の電圧値を下回った場合、前記二次電池間の電圧バランス調整を停止するように制御してもよい。
【００１４】
また、前記電池制御部は、前記二次電池モジュール間の最小電圧と最大電圧との差が規定の電圧値を超えた場合、電圧の小さい二次電池モジュールから順番に二次電池モジュール単位又は連続した複数の二次電池モジュール単位での充電を行うように制御してもよい。
【００１５】
また、前記電池制御部は、前記二次電池間の最小電圧と最大電圧との差が規定の電圧値を超えた場合、電圧の大きい二次電池から順番に単体又は連続した複数の二次電池単位で電圧バランス調整を行うように制御してもよい。
【００１６】
また、前記二次電池モジュール間の最小電圧と最大電圧との差の規定の電圧値をモジュール間電圧規定値とし、前記二次電池間の最小電圧と最大電圧との差の規定の電圧値を二次電池間電圧規定値とするとき、モジュール間電圧規定値は二次電池間電圧規定値と等しいかまたはそれより大きくしてもよい。
【００１７】
また、充電手段への接続を制御する前記電池制御部の上位の制御部を有し、前記電池制御部は、前記上位の制御部への信号伝達手段を有し、前記二次電池モジュール間の最小電圧と最大電圧との差が規定の電圧値を超えた場合は放電を禁止して前記上位の制御部への充電要求を行い、前記二次電池モジュール間の最小電圧と最大電圧との差が前記規定の電圧値以下になった場合は放電を許可する制御を行ってもよい。
【００１８】
また、前記電池制御部は、前記二次電池モジュール間の最小電圧と最大電圧との差が第一の規定の電圧値を超えた場合は放電を禁止し、前記二次モジュール間の最小電圧と最大電圧との差が前記第一の規定の電圧値以下になった場合は放電を許可する制御を行い、かつ、前記二次電池モジュール間の最小電圧と最大電圧との差が第二の規定の電圧値を超えた場合は前記二次電池モジュール間の電圧バランス調整を開始し、前記第二の規定の電圧値を下回った場合は前記二次電池モジュール間の電圧バランス調整を停止するように制御し、前記第一の規定の電圧値は前記第二の規定の電圧値と等しいかまたはそれより大きくしてもよい。
【発明の効果】
【００１９】
以上のように、本発明は、二次電池パックの電圧バランス調整において、二次電池モジュールのそれぞれへの充電経路を切換える切換スイッチを備え、充電中は二次電池モジュール間の電圧バランスを調整し、充電完了後は二次電池モジュール内の構成電池間の電圧バランスを調整することにより、構成電池間の電圧バランス調整および二次電池モジュール間の電圧バランス調整を可能とするものであり、本発明により、複数の二次電池モジュールを直列または並列に接続して構成される二次電池パックにおいて、二次電池モジュールを構成する二次電池間、および二次電池モジュール間の電圧バランス調整を従来よりも効果的、かつ、短時間に行うことが可能な二次電池パックが得られる。これにより、特に二次電池モジュール単位でのメンテナンス等における二次電池モジュール入換えの際には、予め充電量を他のモジュールと合わせてから接続する必要がなくなる。
【図面の簡単な説明】
【００２０】
【図１】本発明による二次電池パックの一実施の形態の構成を示す回路ブロック図。
【図２】本実施の形態の二次電池パックにおける制御フロー図。
【図３】従来の二次電池パックの構成例を示す回路ブロック図。
【発明を実施するための形態】
【００２１】
以下、本発明の実施の形態を図面を参照しつつ説明する。図１は、本発明による二次電池パックの一実施の形態の構成を示す回路ブロック図である。図２は、本実施の形態の二次電池パックにおける制御フロー図である。
【００２２】
図１において、複数の二次電池１１を直列に接続して構成される二次電池モジュール１２を複数個直列または並列に接続して構成される二次電池パックにおいて、二次電池モジュール１２のそれぞれに対応して配置され二次電池モジュール１２を構成する二次電池１１の電圧をモニタし二次電池１１の電圧を調整する電池電圧バランス調整部１３を備えたモジュール制御部１５と、二次電池モジュール１２の温度をモニタする温度検出部１７と、二次電池パック全体の充電電流および放電電流をモニタする電流検出部１６と、二次電池パック全体の充電経路および放電経路をそれぞれ開閉する充電スイッチ１９および放電スイッチ１８と、二次電池モジュール１２のそれぞれへの充電経路を切換える切換スイッチ２１と、二次電池モジュールへの充電電圧および充電電流を制御する充電制御部２２と、モジュール制御部１５からの二次電池モジュール１２の電圧及び二次電池モジュール１２を構成する二次電池１１の電圧情報と温度検出部１７からの温度情報と電流検出部１６からの電流情報とを元に二次電池モジュール１２のそれぞれの充電の要否、およびその充電電圧と充電電流、および二次電池１１のバランス調整の要否を決定し、モジュール制御部１５、充電制御部２２、切換スイッチ２１、充電スイッチ１９及び放電スイッチ１８を制御する電池制御部２０とを有している。
【００２３】
次に、図１および図２に基づいて、本実施の形態の二次電池パックの動作モードについて説明する。第１の動作モードは二次電池モジュール間の電圧バランス調整を行なう動作モードである。第１の動作モードにおいては、二次電池パックの保護回路全体の起動後に、先ずモジュール制御部１５によりモニタされた二次電池モジュール１２を構成する二次電池１１の電圧情報が電池制御部２０に伝えられる。電池制御部２０は、電流検出部１６より伝えられる電流情報を元に充電状態と判定した場合、モジュール制御部１５からの電圧情報を元に二次電池モジュール１２間の電圧バランス状態を検証し、各二次電池モジュールの電圧の最小値と最大値の差が規定の電圧値以上となると二次電池モジュール単位での電圧バランス調整が必要と判断し、切換スイッチ２１を制御し該当する単一又は連続した複数の二次電池モジュール１２に対し充電ラインを形成する。次に電池制御部２０は、該当二次電池モジュールに必要な電圧および電流を決定し充電制御部２２にその決定値での充電を指示する。充電制御部２２は指示された電圧および電流に設定された定電圧定電流による充電、すなわち電圧バランス調整充電を開始し、電圧、電流設定値の変更又は充電停止の指示が電池制御部２０から入るまでその充電状態を維持する。
【００２４】
電圧バランス調整充電は電池制御部２０により規定された電圧バランス調整のための充電期間、すなわち電圧調整充電期間と二次電池および二次電池モジュールの電圧をモニタするための期間、すなわち電圧モニタ期間とを繰返す動作からなる。この電圧バランス調整充電は、電池制御部２０が二次電池モジュール単位での電圧調整を不要と判断するか、電圧、電流、積算容量のいずれかの値又はそれらの複数の値より決められた規定の充電状態に達するまで継続する。
【００２５】
上記の電池制御部２０による二次電池モジュール単体での電圧バランス調整充電の要否判断の判定基準となる規定値としては、二次電池モジュール間の電圧差として例えば数十〜数百ｍＶに設定することができる。また、電池制御部２０により連続した二次電池モジュールを一つの単位として電圧バランス調整充電を行うかを判断する規定値レベルとしては、その連続した二次電池モジュール間での電圧差の規定値を例えば数ｍＶ〜数十ｍＶに設定することが出来る。また、電池制御部２０により制御が行われる電圧調整充電期間と電圧モニタ期間の規定値レベルとしては例えば数十〜数百ｓｅｃに設定することができる。また、二次電池モジュール間の電圧バランス調整充電を停止する判定条件の一つとなる充電状態としては、例えば満充電到達前の充電量となったときの充電状態、具体的な例としては、満充電の７０％〜９０％の領域に相当する電圧、電流又は容量となったときを停止の条件に設定することができる。
【００２６】
この二次電池モジュール間の電圧バランス調整充電における切換スイッチ２１の状態の一例としては、図１において、例えば、最上段の二次電池モジュールのみの電圧バランス調整充電を行う場合には、電池制御部２０により、切換スイッチ２１のスイッチ端子は、ＡがＯＦＦ、ＢがＯＮ、ＣがＯＮ、ＤがＯＦＦ、Ｅ〜ＨがＯＦＦの状態に設定される。
【００２７】
次に第２の動作モードは、二次電池モジュール内の構成電池間の電圧バランス調整を行なう動作モードである。電池制御部２０が電圧情報や電流情報をもとに満充電と判断し充電スイッチ１９をＯＦＦし充電動作を停止すると、電池制御部２０はモジュール制御部１５からの電圧情報を元に二次電池モジュール１２を構成する二次電池１１間の電圧バランス状態を検証し、二次電池１１間の電圧の最小値と最大値の差が規定の電圧値以上となると二次電池１１間の電圧バランス調整が必要と判断し、モジュール制御部１５へ電圧バランス調整を指示する。モジュール制御部１５は電池制御部２０からの電圧バランス調整指示を受けると、該当する二次電池１１の電圧調整を開始する。モジュール制御部１５による電圧バランス調整では電圧調整を行う電圧調整期間と電圧をモニタする電圧モニタ期間が規定され、これらを繰返す動作を行う。電池制御部２０が二次電池１１間の電圧調整を不要と判断するか、電流検出部１６からの電流情報により放電状態と判断するまでこの電圧バランス調整を継続する。また、電池制御部２０が電圧バランス調整を不要と判断した後も電池制御部２０により定期的に二次電池１１の電圧状態が確認され、その確認頻度の見直しが行なわれる。上記の電池制御部２０が電圧バランス調整の要否を判定する二次電池１１間の電圧差の規定値としては例えば数十ｍＶに設定することができる。また、電圧調整期間と電圧モニタ期間の規定値としては例えば数十〜数百ｓｅｃに設定することができる。
【００２８】
ここで、電池制御部２０は温度検出部１７からの二次電池モジュール１２の温度情報を元に前記電圧調整期間と電圧モニタ期間を調整してもよい。また、二次電池１１の電圧バランス調整の対象は比較対象の中で最大電圧を保有する二次電池のみを調整する制御でも、規定値を越えた全ての二次電池を調整する制御でもよい。また、電池制御部２０は、対象の二次電池モジュール１２又は構成電池間の電圧バランス調整の要否の判断を行う電圧差の規定値レベルを、二次電池モジュール間の規定の電圧値をモジュール間電圧規定値とし、二次電池間の規定の電圧値を二次電池間電圧規定値とするとき、二次電池間電圧規定値≦モジュール間電圧規定値、となるように設定し制御してもよい。
【００２９】
また、電池制御部２０が充電手段への接続を制御する上位の制御部を有する場合、電池制御部２０は、その上位の制御部への信号伝達手段を有し、二次電池モジュール１２間の電圧バランス状態が、規定された範囲を超える場合は放電を禁止して上位の制御部への充電要求を行い、電圧バランス調整充電により電圧バランス状態が規定された範囲になると放電を許可する制御を行ってもよい。
【００３０】
ここで、  電池制御部２０が放電可否の判断を行う電圧差の規定値レベルとしては、例えば数百ｍＶ〜数Ｖに設定することができる。この放電可否に対する二次電池モジュール間の電圧差の規定値を放電規定値とするとき、前記の二次電池モジュール間の電圧バランス調整の要否の判断を規定するモジュール間電圧規定値との比較では、モジュール間電圧規定値≦放電規定値、となるように設定し制御を行ってもよい。
【００３１】
また、電池制御部２０が二次電池モジュール１２間の電圧バランス調整を行う場合、電圧の小さい二次電池モジュールから順番に二次電池モジュール単位又は連続した複数の二次電池モジュール単位での充電を行うように制御する方がより短期間にバランス調整を行うことができ、また、二次電池間の電圧バランス調整を放電により行う場合、電圧の大きい二次電池から順番に単体又は連続した複数の二次電池単位で電圧バランス調整を行うように制御する方がより短期間に調整が可能である。
【００３２】
このように、本実施の形態の二次電池パックでは、二次電池パックの電圧バランス調整において、充電中は二次電池モジュール間のバランスを調整し、充電完了後は二次電池モジュールを構成する二次電池間のバランスを調整することにより、構成電池間の電圧バランス調整および二次電池モジュール間の電圧バランス調整を可能とするものであり、これにより、特に二次電池モジュール単位でのメンテナンス等における電池モジュール入換えの際には、予め充電量を他のモジュールと合わせてから接続する必要がなくなる。
【００３３】
なお、本発明は上記の実施の形態に限定されるものではないことはいうまでもなく、目的とする二次電池パックの要求機能や性能などに応じて設計変更可能である。例えば、二次電池モジュールを並列に接続して二次電池パックを構成すること、二次電池モジュール間および二次電池間の電圧バランス調整の要否を判断する基準に電圧差以外の要素を加えること、電圧バランス調整と同時に電圧モニタを行うこと、他の保護回路機能を追加すること等、様々な変更が可能である。
【符号の説明】
【００３４】
１、１１    二次電池
２、１２    二次電池モジュール
３、１３    電池電圧バランス調整部
４    モジュール電圧バランス調整部
５、１５    モジュール制御部
６、１６    電流検出部
７、１７    温度検出部
８、１８    放電スイッチ
９、１９    充電スイッチ
１０、２０    電池制御部
２１    切換スイッチ
２２    充電制御部
【図１】
2010166721.tif 000003
【図２】
2010166721.tif 000004
【図３】
2010166721.tif 000005